(57)【要約】      （修正有）【課題】移動型前面パネルを筐体に移動可能に取り付けるための取り付け機構を備えた電子機器において、移動型前面パネルが筐体前面パネルを露出させた状態でガタを生じないようにする。【解決手段】ガイド用突起５０２は固定ピン５０４に摺動自在に装着された円筒５０６と、円筒５０６を常に突出する方向に偏倚させる弾性体５０７とからなり、円筒５０６は径の大きい基部５０８と、径の小さい先端部５０９と、基部５０８と先端部５０９との間に形成されたテーパ部５１０とからなり、ガイド用溝５０３は筐体前面パネル３０を露出する状態にあるとき先端部のみが係合する浅い溝と、筐体前面パネル３０を露出しない状態にあるときテーパ部５１０が係合する深い溝５１２とからなり、筐体前面パネル３０を露出しない状態においてテーパ部５１０をガイド用溝５０３の縁に弾性的に当接させるように構成した。【選択図】図５
2012206671.tif 000002
【特許請求の範囲】
【請求項１】
筐体の前面に形成された筐体前面パネルと、
前記筐体前面パネルの前面にスライド可能に設けられる移動型前面パネルであって、該筐体前面パネルを露出する状態と露出しない状態にする移動型前面パネルと、
を有し、
前記移動型前面パネルの側面に突出して設けられたガイド用突起と、前記筐体前面パネルに設けられ前記ガイド用突起と係合するガイド用溝とを有した取り付け機構
を備えている電子機器であって、
前記ガイド用突起は、前記側面に垂立して設けられた固定ピンと、該固定ピンに軸方向に摺動自在に装着された円筒と、該円筒を常に突出する方向に弾性的に偏倚させる弾性体とからなり、
前記円筒は、前記ガイド用溝に係合しない径の大きい基部と、該ガイド用溝に係合する径の小さい先端部と、該基部と先端部との間に形成されたテーパ部とからなり、
前記移動型前面パネルが前記筐体前面パネルを露出する位置に移動されている状態において前記先端部の頂面を前記ガイド用溝の底面に弾性的に当接させ、前記移動型前面パネルが前記筐体前面パネルを露出しない位置に移動されている状態において前記テーパ部を前記ガイド用溝の縁に弾性的に当接させ、該移動型前面パネルの該筐体前面パネルに対する移動を行うように構成したことを特徴とする電子機器。
【請求項２】
前記ガイド用溝は、前記ガイド用突起と係合する前記ガイド用溝における一方の端から中央部分を超えた位置まで形成された前記ガイド用突起の先端部のみが係合する浅い溝と、前記浅い溝に連なって前記ガイド用突起が係合する他の端部に至る位置まで形成され前記テーパ部まで係合する深い溝とからなることを特徴とする請求項１に記載の電子機器。
【請求項３】
前記深い溝は、前記ガイド用溝の両側に位置する側壁面に膨出して形成した膨出部からなることを特徴とする請求項２に記載の電子機器。
【発明の詳細な説明】
【技術分野】
【０００１】
本発明は、筺体の前面に形成された筐体前面パネルと、該筐体前面パネルの前面にスライド可能に設けられた移動型前面パネルであって、スライドにより該筐体前面パネルを露出する状態と露出しない状態にする移動型前面パネルと、を有する電子機器に関するものである。
【背景技術】
【０００２】
近年の電子機器は、例えば、ナビゲーション機能、オーディオビジュアル機能などの各種機能を備えたものが広く普及している。オーディオビジュアル機能では、音楽情報や画像情報を記録した光ディスク、ＳＤカード等の記録媒体を電子機器に装着し、これらの記録媒体に記録された音楽情報等を読み出して再生することができる。また、最近では、デジタル放送を視聴する機能を備え、その視聴の際にＢ−ＣＡＳ（登録商標）カードと呼ばれるデジタル放送番組の著作権保護や有料放送の視聴のために利用されるＩＣカードを用いる場合がある。
【０００３】
従来、この種の電子機器としては、例えば下記の特許文献１（特開２０１０−１８６４２８号公報）で示すものがある。この電子機器は車載用として用いられているものであって、筐体の前面に形成された筐体前面パネルと、該筐体前面パネルの前面にスライド可能に設けられる移動型前面パネルであって、スライドにより該筐体前面パネルを露出する状態と露出しない状態にする移動型前面パネルと、を有するものである。筐体前面パネルには情報記録媒体用の挿入口が設けられ、移動型前面パネルには平面状の表示面、操作ボタン等が配置されている。このように、筐体前面パネルは情報記録媒体の装着、離脱専用のパネルとし、前面パネルは車載用電子機器の操作用のパネルとして設けられている。
【０００４】
移動型前面パネルは、該筐体前面パネルを露出する状態と露出しない状態にするために筐体にスライド可能に取り付けられ、また、筐体前面パネルを露出しない状態において移動型前面パネルを収納するために、該筐体前面パネルには収納用凹部が形成されている。
【０００５】
具体的には、移動型前面パネルの下辺寄り一端が回動自在に連結され筐体内に摺動自在に変位される一対のアームと、移動型前面パネルの上辺よりの側面に突出して設けられたガイド用突起と、収納用凹部の側壁に設けられた該ガイド用突起が係合するガイド用溝とからなる。
【０００６】
このように構成された車載用電子機器は、自動車に設けられたコンソールの空きスペースに筐体前面パネルと前面パネルが表面に現れるように組み込まれている。そして、情報記録媒体を装着、離脱する場合には筐体前面パネルを露出する状態にする。これは、筐体前面パネルの前方にある移動型前面パネルを引き出し水平状態とすることにより達成する。一方、車載用電子機器を操作し動作状態、再生情報を表示する場合には筐体前面パネルを露出しない状態で、移動型前面パネルでもって行う。これは、水平状態にある前面パネルを押し込んで収納用凹部に収納することにより達成する。
【０００７】
従って、車載電子機器は異種の筐体前面パネルと移動型前面パネルを必要に応じて選択的に筐体の前面に臨ませることができるので、筐体の前面を有効に利用した小型化に適したものとなる。
【先行技術文献】
【特許文献】
【０００８】
【特許文献１】特開２０１０−１８６４２８号公報（段落「００２６」〜段落「００２７」、段落    「００２９」、図１）
【発明の概要】
【発明が解決しようとする課題】
【０００９】
しかしながら、上記特許文献１に示す従来技術においては、取り付け機構は寸法誤差を有するのでガイド用突起がガイド用溝との間に若干の間隙をもって係合している。そのため、前面パネルは筐体にガタをもって取り付けられているので、外部からの振動によって前面パネルがガタつき、各部材が劣化して破損するおそれがある。また、前面パネルが外部からの振動によって共振し異常音を発生する等の問題点があった。
【００１０】
勿論、上記の問題点を解消するために、取り付け機構を構成する部材の寸法精度を向上させることが考えられるが、ガイド部分の滑らかな動作の維持、コストの低減の観点から限界がある。そのため、ガタつきの発生を取り除き振動の影響をなくすことは実質的に極めて困難であった。
【００１１】
従って、本発明は、上記の問題点を解消することを課題とし、筐体の前面に形成された筐体前面パネルと、該筐体前面パネルの前面にスライド可能に設けられる移動型前面パネルであって、スライドにより該筐体前面パネルを露出する状態と露出しない状態にする移動型前面パネルと、を有する電子機器に関し、筐体前面パネルを露出しない状態において移動型前面パネルを収納するために、該筐体前面パネルに形成された収納用凹部と、移動型前面パネルの側面に突出して設けられたガイド用突起と、収納用凹部の側壁に設けられガイド用突起が係合するガイド用溝と、を有した電子機器において、移動型前面パネルが収納用凹部に収納され筐体前面パネルを露出させない状態でガタつきの発生を除去し異常な振動を生じないようにした電子機器を提供することを目的とするものである。
【課題を解決するための手段】
【００１２】
前記課題を解決するために、本願の請求項１にかかる発明は、
筐体の前面に形成された筐体前面パネルと、該筐体前面パネルの前面にスライド可能に設けられる移動型前面パネルであって、該筐体前面パネルを露出する状態と露出しない状態にする移動型前面パネルと、を有し、前記移動型前面パネルの側面に突出して設けられたガイド用突起と、前記筐体前面パネルに設けられ該ガイド用突起が係合するガイド用溝とを有した取り付け機構を備えている電子機器であって、前記ガイド用突起は、前記側面に垂立して設けられた固定ピンと、該固定ピンに軸方向に摺動自在に装着された円筒と、該円筒を常に突出する方向に弾性的に偏倚させる弾性体とからなり、前記円筒は、前記ガイド用溝に係合しない径の大きい基部と、該ガイド用溝に係合する径の小さい先端部と、該基部と先端部との間に形成されたテーパ部とからなり、前記移動型前面パネルが前記筐体前面パネルを露出する位置に移動されている状態において前記先端部の頂面を前記ガイド用溝の底面に弾性的に当接させ、前記移動型前面パネルが前記筐体前面パネルを露出しない位置に移動されている状態において前記テーパ部を前記ガイド用溝の縁に弾性的に当接させ、該移動型前面パネルの該筐体前面パネルに対する移動を行うように構成したことを特徴とする。
【００１３】
また、本願の請求項２に係る発明において、前記ガイド用溝は、前記ガイド用突起と係合する前記ガイド用溝における一方の端から中央部分を超えた位置まで形成された、前記ガイド用突起の先端部のみが係合する浅い溝と、前記浅い溝に連なって、前記ガイド用突起が係合する他の端部に至る位置まで形成され、前記テーパ部まで係合する深い溝とからなることを特徴とする。
【００１４】
また、本願の請求項３に係る発明においては、前記深い溝は、前記ガイド用溝の両側に位置する側壁面に膨出して形成した膨出部からなることを特徴とする。
【発明の効果】
【００１５】
本発明の電子機器は、次に示すような優れた効果を奏する。
【００１６】
即ち、移動型前面パネルが筐体前面パネルを露出する位置から露出しない位置に移動したときに、ガイド用突起はガイド用溝を構成する深い溝よってガイドされるので、テーパ部が深い溝の縁に弾性的に当接されガタを生じない。そのため、移動型前面パネルは外力によってガタつくことがなく各部材の劣化し、破損等を確実の防止できる。また、移動型前面パネルは外部からの振動によって共振し異常音を発生してしまうことがない。特に、筐体前面パネルを露出する状態に移動型前面パネルを移動させて使用する使用時間に対して、筐体前面パネルを露出しない状態に移動型前面パネルを移動させて使用する時間が多い電子機器においてはその効果が著しい。
【００１７】
一方、移動型前面パネルをスライドさせる際には、ガイド用溝の浅い溝に先端部分のみが若干のガタをもって係合して摺動するので移動型前面パネルの移動動作が円滑に行うことができる。また、取り付け機構におけるガイド用突起とガイド用溝は寸法誤差が大きくても閉成状態ではこれを吸収するので電子機器が低コストで容易に製作できる。
【００１８】
また、深い溝が側壁面に膨出した膨出部によって浅い溝に対して深く形成されているので、スライドにより移動型前面パネルが筐体前面パネルを露出する状態まで移動する移動範囲では、ガイド用突起が膨出部に乗り上がってガイドされる。従って、先端部の頂面はもはや深い溝の底面に当接とすることができず離れ、テーパ部が深い溝の縁部分に当接されることになるので、円筒が弾性体の弾発力に逆らって側面方向に変位され当接部分の摩擦力が増大される。その結果、移動型前面パネルが前面パネルを露出しない状態から不用意に移動してしまうことがなく確実に保持される効果を有する。
【図面の簡単な説明】
【００１９】
【図１】本発明の一実施例に係る電子機器の外観図を示した図であり、図１（ａ）は斜視図であり、図１（ｂ）は正面図である。
【図２】本発明の一実施例に係る電子機器において移動型前面パネルが筐体前面パネルを露出する状態までスライドされた状態を示し、図２（ａ）は斜視図であり、図２（ｂ）は正面図である。
【図３】図１における移動型前面パネルを示す斜視図である。
【図４】図１における筐体前面パネルを示す斜視図である
【図５】図１（ｂ）におけるＡ−Ａ線で切断し部分的に拡大して示した断面図である。
【図６】図２（ｂ）におけるＢ−Ｂ線で切断し部分的に拡大して示した断面図である。
【図７】図４におけるガイド用溝を示すために部分的に拡大した斜視図である。
【発明を実施するための形態】
【００２０】
以下、本発明の具体例を実施例及び図面を用いて詳細に説明する。但し、以下に示す実施例は、本発明の技術的思想を具体化するための電子機器を例示するものであって、本発明をこの電子機器に特定することを意図するものでなく、特許請求の範囲に含まれるその他の実施形態の電子機器にも等しく適用し得るものである。
【実施例】
【００２１】
本発明の一実施例に係る電子機器１０は、図１〜図４に示すように、図１を参照すると、
筺体２０と、筺体２０の前面に形成された筐体前面パネル３０と、筐体２０の前方において筐体前面パネル３０の前面を露出する状態と露出しない状態にするように移動自在（スライド可能）に取り付けられた扁平状の移動型前面パネル４０と、移動型前面パネル４０を筐体２０に取り付けるための取り付け機構５０とを有している。そして、電子機器１０は、自動車に設けられたコンソールの空きスペースに筐体前面パネル３０と移動型前面パネル４０が前面に現れるように車載用として組み込まれている。
【００２２】
筐体前面パネル３０は、移動型前面パネル４０が収納される収納用凹部３０１と、収納用凹部３０１内に設けられた各種の記憶媒体を装着部（図示せず)に装着するための複数の挿入口３０２とを有する。一方、移動型前面パネル４０は、その表面に平面状の表示面４０１と操作ボタン４０２等が配置されている（図１参照）。
【００２３】
移動型前面パネル４０を筐体２０に取り付けるための取り付け機構５０は、移動型前面パネル４０の下方背面に一端が連結され他端が筐体２０内に摺動自在に挿入される一対のアーム５０１と、移動型前面パネル４０の両側面４０３の上方に突出して設けられた一対のガイド用突起５０２と、前面パネル３０の収納用凹部３０１を構成する側壁３０３に形成されたガイド用突起５０２が係合するガイド用溝５０３とからなる。そして、移動型前面パネル４０は、この取り付け機構５０により、垂立することで筐体前面パネル３０を露出しない状態とし、また、水平姿勢とすることで筐体前面パネル３０を露出する状態となる（図１〜図４参照）。
【００２４】
ガイド用突起５０２は、図５、図６に示すように、移動型前面パネル４０の側面４０３に垂立して固定（支持）される。具体的には、固定ピン５０４が遊嵌される孔５０５を有する円筒５０６と、固定ピン５０４と円筒５０６との間に介挿され円筒５０６を常に突出させるように偏倚させるコイル状スプリングで形成した弾性体５０７とから構成される。
【００２５】
円筒５０６は、径の大きい基部５０８と、径の小さい先端部５０９と、基部５０８と先端部５０９との間に形成されたテーパ部５１０とを有している。そして、基部５０８の径はガイド用溝５０３に挿入されない大きな値に設定され、先端部５０９の径はガイド用溝５０３に挿入される小さい値に設定されている。
【００２６】
ガイド用溝５０３は、図７の部分拡大図に示すように、ガイド用溝５０３の一方の端５０３ａから中央部分を越えた位置まで形成された浅い溝５１１と、浅い溝５１１に連なって他方の端５０３ｂに至る位置まで形成さ深い溝５１２とからなる。即ち、ガイド用突起５０２が一方の端５０３ａに位置しているときには筐体前面パネル３０が露出された状態となり、他方の端５０３ｂに位置しているときには露出されない状態となるように設定されている。
【００２７】
浅い溝５１１は先端部５０９のみが係合する深さに形成されており、深い溝５１２はテーパ部５１０まで係合する深さに形成されている。深い溝５１２はその深さがガイド用溝５０３の両側に位置において凹部３０１の側壁３０３面に膨出して形成した膨出部５１３によって得られている。ガイド用突起５０２が浅い溝５１１に係合している状態では、先端部５０９の頂面が浅い溝５１１の底面に当接され、深い溝５１２に係合している状態では、先端部５０９の頂面が底面から離れてテーパ部５１０が深い溝５１２の縁に当接される構成になっている（図５、図６参照）。
【００２８】
また、スライドにより筐体前面パネル３０を露出する状態まで移動した移動型前面パネル４０を保持するために保持機構６０が設けられている（図２（ａ）参照）。この保持機構６０は、側面４０３に形成された切り欠き６０１と、アーム５０１に設けられた突起６０２とからなり、スライドにより筐体前面パネル３０を露出する状態まで移動したとき、突起６０２が切り欠き６０１に係合するようになっている。
【００２９】
次に、上述した実施例の構成による電子機器１０の動作についてについて説明する。
車載用として自動車のコンソールに組み込まれた電子機器１０は、図１で示すように、筐体前面パネル３０が移動型前面パネル４０によって覆われており（露出しない状態であり）、この状態で、移動型前面パネル４０は収納用凹部３０１に収納されている。
【００３０】
情報記録媒体を装着、離脱する際には、図２で示すように、筐体前面パネル３０を筐体２０の前面に臨ませる必要がある。この状態を得るには、移動型前面パネル４０をスライドさせることで筐体前面パネル３０を露出する状態とする。このための動作としては、モータ等からなる図示しない駆動部の制御によりアーム５０１を筐体２０から摺動して引き出すことで達成する。なおこの動作時においてガイド用突起５０２はガイド用溝５０３を他方の端５０３ｂから下方に移動（スライド）して一方の端５０３ａに至る。
【００３１】
その結果、移動型前面パネル４０は水平状態に傾いて、筐体前面パネル３０の前面を露出しない状態から露出する状態へと移行させ、挿入口３０２を筐体２０の前方に臨ませることができる。従って、挿入口３０２を介して情報記録媒体を筐体２０内の装着部に装着し、装着部より離脱させることができる。なお、このとき移動型前面パネル４０は保持機構６０によって保持されている。
【００３２】
移動型前面パネル４０のスライドに伴い、筐体前面パネル３０を露出する状態から移動型前面パネル４０で覆われ筐体前面パネル３０を露出しない状態まで至らせる動作について説明する。先ず、図示されない駆動部の制御により、保持機構６０による保持状態が解除されアーム５０１が筐体２０内へと向かって移動することで移動型前面パネル４０の下辺が筐体前面パネル３０の方向に移動する。この動作と共に、ガイド用突起５０２がガイド用溝５０３にガイドされて上昇するので、移動型前面パネル４０の上辺が筐体前面パネル３０の前面上方に向かって移動する。
【００３３】
筐体前面パネル３０を露出しない状態まで移動した移動型前面パネル４０は収納用凹部３０１に収納される（図１参照）。この時点では保持機構６０の突起６０２が切り欠き６０１に係合することで移動型前面パネル４０が保持される。
【００３４】
次に、ガイド用突起５０２がガイド用溝５０３にガイドされる状態を説明する。スライドに伴い移動型前面パネル４０が筐体前面パネル３０を露出しない状態から露出する状態まで移動する際の移動範囲の大部分では、ガイド用突起５０２が浅い溝５１１をガイドされる。ガイド用突起５０２は先端部５０９が弾性体５０７の弾発力によって側面４０３から突出されるように常に偏倚されている。そのため、先端部５０９の頂面が浅い溝５１１の底面に当接されている。そして、先端部５０９の周面と浅い溝５１１の側壁面との間には若干の間隙を有した状態でガイド機能が達成されている（図６参照）。
【００３５】
スライド動作に伴い移動型前面パネル４０が筐体前面パネル３０を露出しない状態では、ガイド用突起５０２が深い溝５１２に至り膨出部５１３に乗り上がってガイドされる。従って、先端部５０９の頂面がもはや深い溝５１２の底面に当接とすることができず離れてしまう。そのため、テーパ部５１０が深い溝５１２の縁部分に当接する。そして、円筒５０６が弾性体５０７の弾発力に逆らって側面４０３方向に変位される（図５参照）。
【００３６】
従って、上述した本発明の実施例によれば、スライドに伴い移動型前面パネル４０が筐体前面パネル３０を露出する状態まで移動している状態では、ガイド用突起５０２を構成する円筒５０６の先端部５０９のみがガイド用溝５０３の浅い溝５１１に係合している。この係合状態においては、先端部５０９の頂面は浅い溝５１１の底面に弾性的に当接されている。一方、移動型前面パネル４０が筐体前面パネル３０を露出しない状態まで移動している状態では、円筒５０６が深い溝５１２に至り先端部５０９の頂面が深い溝５１２の底面から離れ、テーパ部５１０が深い溝５１２の縁部分に当接するようになっている。
【００３７】
そのため、スライドに伴い移動型前面パネル４０が筐体前面パネル３０を露出する状態から露出しない状態まで移動したときに、取り付け機構５０のガイド用突起５０２におけるテーパ部５１０がガイド用溝５０３の縁に弾性的に当接してガイドされるのでガタを生じない。その結果、移動型前面パネル４０が外力によってガタつくことがない。
【００３８】
一方、移動型前面パネル４０が、筐体前面パネル３０を露出する状態から露出しない状態に移動する際には、先端部５０９のみがガイド用溝５０３の浅い溝５１１に若干のガタをもって係合された状態から摺動するので、移動型前面パネル４０の開閉のための移動動作が円滑に行われる。
【００３９】
また、深い溝５１２は膨出部５１３によって形成されているので、円筒５０６が弾性体５０７の弾発力に逆らって側面４０３の方向に強く偏倚され、テーパ部５１０がガイド用溝５０３、即ち深い溝５１２の縁に強く圧接される。その結果、テーパ部５１０と深い溝５１２との当接部分の摩擦力が増大し、移動型前面パネル４０が筐体前面パネル３０を露出する状態から露出しない状態まで移動した位置で不用意に移動してしまうことを阻止することができる。
【００４０】
なお、上記実施例においては、ガイド用溝５０３の深い溝５１２は膨出部５１３によって形成したが、本発明は膨出部５１３を設けることなく浅い溝５１１に対して底面を掘り下げて溝を深くしたものであってもよい。
【００４１】
また、上記実施例においては、電子機器は自動車に組み込まれた車載用としたが、本発明はこれに限定されることなく携帯用、固定用として用いるものであってもよい。
【符号の説明】
【００４２】
１０・・・・電子機器
２０・・・・筐体
３０・・・・筐体前面パネル
４０・・・・移動型前面パネル
５０・・・・取り付け機構
６０・・・・保持機構
３０１・・・収納用凹部
３０２・・・挿入口
３０３・・・側壁
４０１・・・表示面
４０２・・・操作ボタン
４０３・・・側面
５０１・・・アーム
５０２・・・ガイド用突起
５０３・・・ガイド用溝
５０３ａ・・一方の端
５０３ｂ・・他方の端
５０４・・・固定ピン
５０５・・・孔
５０６・・・円筒
５０７・・・弾性体
５０８・・・基部
５０９・・・先端部
５１０・・・テーパ部
５１１・・・浅い溝
５１２・・・深い溝
５１３・・・膨出部
６０１・・・切り欠き
６０２・・・突起
【図１】
2012206671.tif 000003
【図２】
2012206671.tif 000004
【図３】
2012206671.tif 000005
【図４】
2012206671.tif 000006
【図５】
2012206671.tif 000007
【図６】
2012206671.tif 000008
【図７】
2012206671.tif 000009